(57)【要約】【課題】光を遮断して部屋内部の光が外部に漏れること及び外部の光を内部に入れることを防ぐのみならず、その光を利用することを可能にする穿孔遮光カーテンを提供すること。【解決手段】一般的な遮光カーテンの構造である表が無地で裏が遮光地であるところに、本来ならば熱圧着により接着するところ、微細な孔を施すことにより刺し孔の突起部分の引っ掛かりが生じる為に、熱圧着外部が不要なカーテンを作る。本願は、表地と裏の遮光地とを具備する遮光カーテンにおいて、前記遮光地に微細な孔を穿設してなる。【選択図】図１
2010196244.tif 000002
【特許請求の範囲】
【請求項１】
表地と裏の遮光地とを具備する遮光カーテンにおいて、
前記遮光地に微細な孔を穿設することを特徴とする遮光カーテン。
【発明の詳細な説明】
【技術分野】
【０００１】
本発明は、たとえば遮光カーテン、及びロールスクリーン表面の微細穿孔構造に係り、特に光を通し模様を浮き上がらせることを可能とする穿孔遮光カーテンに関する。
【背景技術】
【０００２】
一般的に、遮光カーテンは完全に光を遮断し、部屋内部の光が外部に漏れること及び外部の光を内部に入れることを防いでいる。しかし、専ら光を遮断することのみが目的であり、その光を利用することまでは用いられていない。
【先行技術文献】
【特許文献】
【０００３】
【特許文献１】特開平７−３０５５８１
【発明の概要】
【発明が解決しようとする課題】
【０００４】
これまでの遮光カーテンは、光を完全に遮断する為に、外部の光の具合が全く分からなかった。遮光カーテンでありながら朝と夜の気配を感じられるものは存在しなかった。
【０００５】
本発明は、上記従来技術の問題点を解決するもので、光を遮断して部屋内部の光が外部に漏れること及び外部の光を内部に入れることを防ぐのみならず、その光を利用することを可能にする穿孔遮光カーテンを提供することを目的とする。
【課題を解決するための手段】
【０００６】
かかる課題を解決するために、本願に係る発明者は、一般的な遮光カーテンの構造である表が無地で裏が遮光地であるところに、本来ならば熱圧着により接着するところ、微細な孔を施すことにより刺し孔の突起部分の引っ掛かりが生じる為に、熱圧着外部が不要なカーテンを作ることができた。
【０００７】
本願は、表地と裏の遮光地とを具備する遮光カーテンにおいて、前記遮光地に微細な孔を穿設することを特徴とする。
【０００８】
遮光地に穿設された微細な孔により刺し孔の突起部分が生じ、これが表地の裏面に対して引っ掛かりを生じるので、熱圧着外部が不要となる。
【０００９】
また、孔は微細であるために、外部が暗い夜は無地の遮光カーテンとしての利用ができる。
【００１０】
一方、朝になり、段々と外が明るくなるにつれて、微細な抜き孔から外部の光を取り入れることで、徐々に遮光カーテンに施された抜き孔による図柄を浮かび上がらせることができる。
【００１１】
点描の図柄は自由にデザインできるから、あたかも夢の延長のように幻想的な絵柄を表現することが可能である。
【００１２】
遮光カーテンでありながら、朝の気配を感じられる、さながら半遮光カーテンが実現できる。
【発明の効果】
【００１３】
本願によれば、遮光地に穿設された微細な孔により刺し孔の突起部分が生じ、これが表地の裏面に対して引っ掛かりを生じるので、熱圧着外部が不要となる。
【００１４】
また、孔は微細であるために、外部が暗い夜は無地の遮光カーテンとしての利用ができる一方、朝になり、段々と外が明るくなるにつれて、微細な抜き孔から外部の光を取り入れることで、徐々に遮光カーテンに施された抜き孔による図柄を浮かび上がらせることができる。
【００１５】
したがって、点描の図柄を適宜選択することにより、幻想的な絵柄を表現することが可能である。
【図面の簡単な説明】
【００１６】
【図１】本発明の一実施形態に係る穿孔遮光カーテンにおける外部が未だ暗い状態を表す図である。
【図２】本発明の一実施形態に係る穿孔遮光カーテンにおける外部が少し明るくなってきている状態であり光によって抜き孔からの光により絵柄がぼんやりと浮き上がってきている様子を表す図である。
【図３】本発明の一実施形態に係る穿孔遮光カーテンにおける外部がかなり明るくなってきている状態であり光によって抜き孔からの光により絵柄が濃く浮き上がってきている様子を表す図である。
【図４】本発明の一実施形態に係る穿孔遮光カーテンの絵柄の多様性を表す図である。
【図５】本発明の一実施形態に係る穿孔遮光カーテンの絵柄と、朝焼けのイメージ写真を合成したものである。絵柄のついた生地に本発明のような図柄の穿孔を施すことで、幻想的な点描の絵柄と生地の絵柄と相俟った独特の表現をすることも可能である。
【発明を実施するための形態】
【００１７】
以下、図面を参照して本発明を実施するための形態について説明する。なお、以下では、本発明の目的を達成するための説明に必要な範囲を模式的に示し、本発明の該当部分の説明に必要な範囲を主に説明することとし、説明を省略する箇所については公知技術によるものとする。
【００１８】
図１は、本発明の一実施形態に係る穿孔遮光カーテンにおける外部が未だ暗い状態を表す図である。図２は、本発明の一実施形態に係る穿孔遮光カーテンにおける外部が少し明るくなってきている状態であり光によって抜き孔からの光により絵柄がぼんやりと浮き上がってきている様子を表す図である。図３は、本発明の一実施形態に係る穿孔遮光カーテンにおける外部がかなり明るくなってきている状態であり光によって抜き孔からの光により絵柄が濃く浮き上がってきている様子を表す図である。図４は、本発明の一実施形態に係る穿孔遮光カーテンの絵柄の多様性を表す図である。図５は、本発明の一実施形態に係る穿孔遮光カーテンの絵柄と、朝焼けのイメージ写真を合成したものである。
【００１９】
本願においては、一般的な遮光カーテンの構造である表が無地で裏の遮光地に、本来ならば熱圧着により接着するところ、微細な孔を施すことにより刺し孔の突起部分の引っ掛かりが生じる為に、熱圧着が不要な遮光カーテンを作ることができた。
【００２０】
孔は微細であるために、外部が暗い夜は無地の遮光カーテンとしての利用ができる。
【００２１】
一方、朝になり、段々と外が明るくなるにつれて、微細な抜き孔から外部の光を取り入れることで、徐々に遮光カーテンに施された抜き孔による図柄を浮かび上がらせることができる。
【００２２】
点描の図柄は、まるで夢の延長のように幻想的な絵柄を表現することが可能である。
【００２３】
裏地の細孔の穿孔についてデザインを施すとともに、表地の表面についても別の手段によってデザインを施すことも可能である。すなわち、絵柄のついた生地に本発明のような図柄の穿孔を施すことで、幻想的な点描の絵柄と生地の絵柄と相俟った独特の表現をすることも可能である。
【００２４】
本願の実施形態によれば、遮光カーテンでありながら、朝の気配を感じられる、さながら半遮光カーテンが実現される。
【産業上の利用可能性】
【００２５】
本願によれば、遮光地に穿設された微細な孔により刺し孔の突起部分が生じ、これが表地の裏面に対して引っ掛かりを生じるので、熱圧着外部が不要となる。孔は微細であるために、外部が暗い夜は無地の遮光カーテンとしての利用ができる一方、朝になり、段々と外が明るくなるにつれて、微細な抜き孔から外部の光を取り入れることで、徐々に遮光カーテンに施された抜き孔による図柄を浮かび上がらせることができる。
【００２６】
このとき、点描の図柄を適宜選択することにより、幻想的な絵柄を表現することが可能である。したがって、本願は、少なくとも家具、住宅、建築等の各種産業で利用可能性を有している。
【図１】
2010196244.tif 000003
【図２】
2010196244.tif 000004
【図３】
2010196244.tif 000005
【図４】
2010196244.tif 000006
【図５】
2010196244.tif 000007